(57)【要約】      （修正有）【課題】磁気治療効果による健康性と宝石類のファッション性を兼ね備えた装身具を提供する。【解決手段】磁石３の表面は、宝石類の粉末が配合された樹脂によってコーティング５する。磁石３は、球状のネオジウム磁石である。磁力は、１０００ガウス以上とし、形状は、多面体や板状体など任意の形で良い。コーティングに際しては、宝石類の微粉末と樹脂を混合し、樹脂の結合力によって、宝石類の微粉末を固化定着させる。コーティング厚さは、０．１ｍｍ〜１ｍｍとする。また宝石類の微粉末の配合比率は、５〜１５％が好ましい。【選択図】図１
0003161686.tif 000002
【実用新案登録請求の範囲】
【請求項１】
磁石を備えた装飾体を有する装身具において、前記磁石の表面は、宝石類の粉末が配合された樹脂によってコーティングされている装身具。
【請求項２】
前記磁石は、磁力が１０００ガウス以上である、請求項１に記載された装身具。
【請求項３】
前記磁石は、フェライト磁石またはネオジウム磁石である、請求項１または請求項２に記載された装身具。
【請求項４】
前記宝石類の粉末の粒子の大きさは、０．０００１ｍｍ〜５ｍｍである、請求項１から請求項３までのいずれか一項に記載された装身具。
【請求項５】
複数個の前記装飾体が、リング状に連結されている、請求項１から請求項４までのいずれか一項に記載された装身具。
【請求項６】
前記磁石はネオジウム磁石であり、前記装飾体の磁力により前記装飾体同士が連結される、請求項１から請求項５までのいずれか一項に記載された装身具。
【請求項７】
前記装身具はネックレスである、請求項１から請求項６までのいずれか一項に記載された装身具。
【考案の詳細な説明】
【技術分野】
【０００１】
本考案は、磁気装身具に関するものである。より詳しくは、ネックレスやブレスレット等、装飾体がリング状に連結された装身具に関するものである。
【背景技術】
【０００２】
従来から、人体へ磁界を作用させることによって、血行の増進やこり、痛みの解消を図ることが行われており、この原理を利用した各種の治療器や健康機器がある。磁気ネックレス等のアクセサリーもその一例である。磁石を用いた従来のアクセサリーは、磁石のみにより構成されるか、又はファッション性を高めるために磁石および宝石により構成されているものもある。しかし、磁石および宝石により構成されるアクセサリーにおいては、磁石と宝石とが単純に並べられているだけである。
【０００３】
磁石と宝石とが単純に並べられているアクセサリーは、宝石を使用することによってファッション性を高めようとはしているものの、磁石の存在感が大きいために健康機器であるという印象を拭うまでには至っていない。
そこで、磁気治療効果をもつ磁気アクセサリーでありながら、ファッション性も高いものが望まれている。
【考案の概要】
【考案が解決しようとする課題】
【０００４】
上述のように、従来の磁気装身具は、磁石と宝石とが別体により構成されているので、十分なファッション性が得られていないという課題がある。
【０００５】
そこで、本考案はこのような課題を解決するためになされたものであり、宝石類の粉末が配合された樹脂により磁石をコーティングすることにより、磁石と宝石類とが一体化された装飾体を有する装身具を提供し、磁気治療効果による健康性と宝石類のファッション性を兼ね備えた装身具を提供することを目的とする。
【課題を解決するための手段】
【０００６】
本考案は、磁石を備えた装飾体を有する装身具において、磁石の表面は、宝石類の粉末が配合された樹脂によってコーティングされている装身具を提供する。
【０００７】
本考案装身具の第１の実施形態では、磁石は、磁力が１０００ガウス以上である。
本考案装身具の第２の実施形態では、磁石は、フェライト磁石またはネオジウム磁石である。
本考案装身具の第３の実施形態では、宝石類の粉末の粒子の大きさは、０．０００１ｍｍ〜５ｍｍである。
本考案装身具の第４の実施形態では、複数個の装飾体がリング状に連結されている。
本考案装身具の第５の実施形態では、磁石はネオジウム磁石であり、装飾体の磁力により装飾体同士が連結される。
本考案装身具の第６の実施形態では、装身具はネックレスである。
本考案において宝石類とは、本物の宝石及びその模造品や模倣品を含む意味である。宝石という用語は、一般的に使用される意味で使用し、産出量が少なく、硬度が高くて、美しい光彩をもち、装飾用としての価値が高い非金属鉱物である。例えば、ダイヤモンド・エメラルド・サファイア・ルビーなどが含まれる。また、宝石という用語には、有機物起源のもの、例えば、珊瑚、パール、琥珀などが含まれる。本物の宝石の模造品や模倣品とは、宝石のように見えるが宝石ではないアクセサリー材を指し、例えば、石、貝、ガラス、クリスタルガラス、金属、プラスチック等が含まれる。外見上、宝飾品としてのファッション性を有していれば、本考案の目的に適うからである。
【考案の効果】
【０００８】
本考案の装身具は、宝石類の粉末が配合された樹脂により磁石の表面がコーティングされていることにより、磁石と宝石類とが一体化されているので、血流改善効果などの磁気治療効果による健康性を持ちながら、外見上は宝石類の色、風合いを有し、宝石類の持つファッション性を兼ね備えている。
【図面の簡単な説明】
【０００９】
【図１】本考案において、第１の実施例による装飾体の断面図である。
【図２】本考案の一実施例による装身具である。
【図３】本考案において、第２の実施例による装飾体の断面図である。
【図４】図３のＡ−Ａ断面図である。
【実施例】
【００１０】
本考案において、第１の実施例による装飾体１の断面図を図１に示す。図１に示されるように、磁石３の表面がコーティング層５によって被覆されている。図１では、磁石３は球体のネオジウム磁石である。
【００１１】
磁石３としては、任意の磁石を適用できる。例えば、永久磁石のネオジウム磁石、フェライト磁石、サマリウムコバルト磁石、アルコニ磁石を適用することができる。とりわけ、ネオジウム磁石およびフェライト磁石が好ましい。
また、磁力は、任意の大きさでもよいが、１０００ガウス以上を有することが好ましい。
磁石３の形状は、球体でなくても、楕円球体、多面体、円盤体、板状体など、任意の形状にすることができる。
宝石類としては、宝飾品としてのファッション性を持つ材料であれば任意の材料を使用することができる。天然宝石を使用しても、人工宝石を使用しても良い。例えば、ダイヤモンド、パール、ガーネット、アメジスト、サファイヤ、ルビー、トルコ石、ブルートパーズ、タンザナイト、ピンクトルマリン、ローズクォーツ、クリスタルガラス、プラスチック等を使用することができる。
樹脂としては、任意の樹脂を使用することができる。例えば、エポキシ樹脂、ポリイミド樹脂、ウレタン樹脂、ナイロン樹脂、ポリエチレン樹脂、アクリル樹脂を使用することができる。
コーティングに際しては、宝石類の微粉末と樹脂を混合し、樹脂の結合力によって、宝石類の微粉末を固化、定着させている。
宝石類の微粉末の配合比率は、５〜１５％が好ましい。
宝石類の微粉末の粒子の大きさは、任意の大きさに選択可能である。粒子の大きさを変えることにより、外見が異なったものに仕上がるため、装飾的な効果が異なったものを得られる。粒子の大きさは、０．０００１ｍｍ〜５ｍｍとすることが好ましい。さらには、粒子の大きさは、０．００１ｍｍ〜３ｍｍとすることが好ましい。さらには、粒子の大きさは、０．０１ｍｍ〜１．５ｍｍとすることが好ましい。さらには、粒子の大きさは、０．１ｍｍ〜１ｍｍとすることが好ましい。
また、コーティング層の厚さは、任意に調整することが可能であるが、０．１ｍｍ程度から数ｍｍ程度までに調整することが好ましい。
装飾体１の大きさは、任意の大きさに選択可能である。装飾体１が球体であれば、直径約６〜１２ｍｍとすることが、商品としてのファッション性も高く好ましい。
【００１２】
磁石の磁力は、磁石の表面全体を上述のコーティング層で被覆しても、大きく減衰することはない。磁石の表面全体を上述のコーティング層で被覆した状態でも、フェライト磁石を使用した場合は１６００ガウス程度、ネオジウム磁石を使用した場合は５０００ガウス程度の磁力を維持することが可能である。
【００１３】
以上のような構成により、磁気治療効果による健康性を保ちつつ、磁石と宝石類とが一体化されているので、ファッション性の高い健康装身具が得られる。
【００１４】
図２は、複数個の図１の装飾体１がリング状に連結された装身具１０を示す。図２の装身具１０はネックレスであるが、ブレスレット、アンクレット、チョーカーでも良い。また、本考案の装身具は、その他の装身具、例えば、ペンダント、イヤリング、ピアス、指輪、ブローチ、ペントップ、めがねチェーン、ストラップ、腕時計、アームバンド、ヘアバンド、ヘアピン、ベルト、サスペンダー、バックル、リストバンド、ミサンガ、ティアラ等に適用しても良い。
本実施例のネックレスは、ネオジウム磁石により製造されているので、装飾体１同士の強い磁力により連結され、リング形状を形成している。しかし、各装飾体に貫通孔を設け、その貫通孔に線材を通すことにより、装飾体同士を連結しても良い。とりわけ、ネオジウム磁石より磁力の弱い磁石、例えばフェライト磁石により製造される場合、この構成が好ましい。
線材は、任意に選択可能である。例えば、ワイヤ、糸、ニッケルチタン合金線材、ウレタンゴム線材等を使用することができる。
【００１５】
図３は、本考案において、第２の実施例による装飾体２１の断面図を示す。図３に示されるように、磁石２３の表面がコーティング層２５によって被覆されている。図３では、磁石２３は球体のフェライト磁石である。装飾体の中心を通る貫通孔２７が形成されている。この貫通孔は、中に線材を通して、装飾体同士を連結するためのものである。
【００１６】
図４は、図３のＡ−Ａ断面図を示す。貫通孔２７が装飾体の中心を貫通している様子が示されている。
【符号の説明】
【００１７】
１、２１  装飾体
３、２３  磁石
５、２５  コーティング層
１０  装身具
２７  貫通孔
【図１】
0003161686.tif 000003
【図２】
0003161686.tif 000004
【図３】
0003161686.tif 000005
【図４】
0003161686.tif 000006